(57)【特許請求の範囲】
【請求項１】
公衆網を用いた移動体通信ネットワークにおける利用者端末の疎通率を測定する疎通率測定装置において、
前記利用者端末が着発信をする際に、前記利用者端末が正当か否かを判別する認証局と、
利用者データベースから、前記認証局により不正と判別される発電話番号を含む発呼リストを作成し、この発呼リストに従って前記利用者端末宛に擬似着信呼を発呼する発呼センタと、
前記発呼センタが発呼した擬似着信呼を受信して前記利用者端末の一斉呼出しを行い、この一斉呼出しに対して接続された利用者端末の数を測定して呼記録を作成する基地局と、
前記基地局で作成された呼記録を収集して疎通率を算出する収集センタと、
を具備することを特徴とする疎通率測定装置。
【請求項２】
前記発呼センタは、前記発呼リストに従って前記利用者端末に擬似着信用セットアップ信号を用いた擬似着信呼を発呼し、
前記基地局は、前記擬似着信用セットアップ信号を受信すると擬似着信呼であることを認識して前記利用者端末の一斉呼出しを行ない、この一斉呼出しに対して接続された利用者端末の数を測定し、前記一斉呼出しの数と前記接続された利用者端末の数とを基地局認識情報と共に前記収集センタに送信する
ことを特徴とする請求項１に記載の疎通率測定装置。
【請求項３】
公衆網を用いた移動体通信ネットワークにおける利用者端末の疎通率を測定する疎通率測定装置において、
利用者データベースから発呼リストを作成し、この発呼リストに従って前記利用者端末宛に擬似着信用セットアップ信号を用いた擬似着信呼を発呼する発呼センタと、
前記発呼センタが発呼した前記擬似着信用セットアップ信号を受信すると擬似着信呼であることを認識して前記利用者端末の一斉呼出しを行ない、この一斉呼出しに対して接続された利用者端末の数を測定して前記利用者端末との接続を切断し、前記一斉呼出しの数と前記接続された利用者端末の数と基地局認識情報とを含む呼記録を作成する基地局と、
前記基地局が作成した呼記録を収集して疎通率を算出する収集センタと、
を具備することを特徴とする疎通率測定装置。
【請求項４】
公衆網を用いた移動体通信ネットワークにおける利用者端末の疎通率を測定する疎通率測定装置において、
利用者データベースから発呼リストを作成し、この発呼リストに従って前記利用者端末宛に擬似着信用セットアップ信号を用いた擬似着信呼を発呼する発呼センタと、
前記発呼センタが発呼した擬似着信呼を受信して前記利用者端末の一斉呼出しを行い、この一斉呼出しに対して接続された利用者端末の数を測定して呼記録を作成する基地局と、
前記基地局で作成された呼記録を収集して疎通率を算出する収集センタとを備え、
前記利用者端末は、前記擬似着信用セットアップ信号を用いた呼を受信した場合、鳴動動作及び着信履歴保存を行なう前に前記呼を切断することを特徴とする疎通率測定装置。
【請求項５】
前記基地局は、前記擬似着信用セットアップ信号を受信すると擬似着信呼であることを認識して前記利用者端末の一斉呼出しを行ない、この一斉呼出しに対して接続された利用者端末の数を測定し、前記一斉呼出しの数と前記接続された利用者端末の数とを基地局認識情報と共に前記収集センタに送信する
ことを特徴とする請求項４に記載の疎通率測定装置。
【請求項６】
公衆網を用いた移動体通信ネットワークにおける利用者端末の疎通率を測定する疎通率測定方法において、
利用者データベースから、認証局により不正と判別される発電話番号を含む発呼リストを作成し、
前記作成した発呼リストに従って前記利用者端末宛に擬似着信呼を発呼し、
前記発呼した擬似着信呼を受信して前記利用者端末の一斉呼出しを行い、この一斉呼出しに対して接続された利用者端末の数を測定して呼記録を作成し、
前記認証局が、前記利用者端末が着発信をする際に、前記利用者端末が正当か否かを判別し、
前記判別の結果が否定的である場合に、前記作成された呼記録を収集して疎通率を算出する、
ことを特徴とする疎通率測定方法。
【請求項７】
公衆網を用いた移動体通信ネットワークにおける利用者端末の疎通率を測定するコンピュータを、
前記利用者端末が着発信をする際に、前記利用者端末が正当か否かを判別する認証局と、
利用者データベースから、前記認証局により不正と判別される発電話番号を含む発呼リストを作成し、この発呼リストに従って前記利用者端末宛に擬似着信呼を発呼する発呼センタと、
前記発呼センタが発呼した擬似着信呼を受信して前記利用者端末の一斉呼出しを行い、この一斉呼出しに対して接続された利用者端末の数を測定して呼記録を作成する基地局と、
前記基地局で作成された呼記録を収集して疎通率を算出する収集センタと、
として機能させるための疎通率測定プログラムを記録したコンピュータ読取り可能な記録媒体。
【発明の詳細な説明】
【０００１】
【発明の属する技術分野】
本発明は、移動体通信において任意の利用者端末が通話可能な圏内にいるか測定する疎通率の測定装置に関し、特に利用者端末の利用者が疎通率測定の行なわれていることを認識することなく、移動体通信事業側が疎通率測定を行なう測定方式に関する。
【０００２】
【従来の技術】
従来、疎通試験装置は、ＩＳＤＮ等の固定通信網にて行なわれている。他方、移動体通信において任意の利用者端末が通話可能な圏内にいるか測定する場合には、調査員を基地局周辺に派遣して現地調査を行なうことが行なわれていた。具体的には、調査員が様々なエリアに利用者端末を保持して出向き、呼の接続が可能かどうかを手作業で確かめ、その履歴により疎通率を算定していた。疎通率は利用者にとって通話できるか否かの重要な指標であり、移動体通信事業者にとっては基地局の配置計画の策定や基地局の担当するエリアを柔軟に変更する場合の市場情報として極めて有用である。
【０００３】
【発明が解決しようとする課題】
しかし、従来の方法では、調査員が様々なエリアに利用者端末を保持して出向く必要があり、疎通に関する多くのサンプルを得るためには多くの調査員が必要となって非効率であるという課題があった。そこで、疎通率の試験用として利用者端末に電話を掛けることも考えられるが、利用者端末の利用者にとって単なる試験の為に利用者端末に電話を掛けられるのは不愉快に感じる虞があり、実現性に乏しいという課題があった。本発明は上述する課題を解決するもので、移動体通信において任意の利用者端末が通話可能な圏内にいるか正確かつ効率的に行なえる疎通率測定装置を提供することを目的とする。
【０００４】
【課題を解決するための手段】
上記課題を解決する本発明の疎通率測定装置は、図２に示すように、公衆網８０を用いた移動体通信ネットワークにおける利用者端末２０の疎通率を測定する疎通率測定装置において、利用者端末２０が着発信をする際に、利用者端末２０が正当か否かを判別する認証局７０と、利用者データベース４０から、認証局７０により不正と判別される発電話番号を含む発呼リストを作成し、この発呼リストに従って利用者端末２０宛に擬似着信呼を発呼する発呼センタ３０と、発呼センタ３０が発呼した擬似着信呼を受信して利用者端末２０の一斉呼出しを行い、この一斉呼出しに対して接続された利用者端末２０の数を測定して呼記録を作成する基地局１０と、基地局１０で作成された呼記録を収集して疎通率を算出する収集センタ６０とを具備することを特徴とする。
【０００５】
このように構成された装置において、発呼センタ３０は利用者データベース４０から発呼リストを作成し、公衆網８０経由で発呼リストに従って利用者端末２０に擬似着信呼を発呼する。利用者データベース４０は、移動体通信ネットワーク事業者と契約している利用者の情報がデータベース化されており、電話番号、氏名、現住所、年齢、料金コース、月額利用料金等の料金を請求するのに必要なデータ項目を有している。擬似着信呼は、利用者端末側では無鳴動かつ無履歴となり、利用者には着信のあったことを全く意識させないものである。呼記録作成手段５０は、擬似着信呼による一斉呼出数と、該一斉呼出しに対して接続された利用者端末の数を測定して呼記録が作成するもので、例えば基地局や発呼センタに設けられる。収集センタ６０は、呼記録作成手段５０で作成された呼記録を収集して疎通率を算出するもので、各基地局から収集された呼記録から移動体通信ネットワーク全体を鳥瞰する疎通率が測定できる。
また、図４に示すように、発呼センタ３０から利用者端末２０に発呼される呼には、認証局７０が不正と判断する発電話番号が割当てられている。認証局７０を改造するだけすむので、設備の改造コストが少なくて済む利点がある。
【０００７】
好ましくは、発呼センタ３０は、発呼リストに従って利用者端末２０に擬似着信用セットアップ信号を用いた擬似着信呼を発呼し、基地局１０は、前記擬似着信用セットアップ信号を受信すると擬似着信呼であることを認識して利用者端末２０の一斉呼出しを行ない、この一斉呼出しに対して接続された利用者端末２０の数を測定し、前記一斉呼出しの数と前記接続された利用者端末２０の数とを基地局認識情報と共に収集センタ６０に送信する。擬似着信用セットアップ信号を用いた擬似着信呼には、予め特殊な電話番号が割当てられている発呼センタ３０により発呼されるが、発呼センタ３０から発呼した擬似着信呼の発電話番号が特殊な為に、認証局７０では不正と判断する。基地局認識情報は、収集センタ６０が個別基地局を認識するのに用いられる。収集センタ６０では、基地局認識情報により個別基地局の担当エリア毎の疎通率を把握できる。
【０００８】
上記課題を解決する本発明の疎通率測定装置は、図７に示すように、公衆網８０を用いた移動体通信ネットワークにおける利用者端末２０の疎通率を測定する疎通率測定装置において、利用者データベース４０から発呼リストを作成し、この発呼リストに従って利用者端末２０宛に擬似着信用セットアップ信号を用いた擬似着信呼を発呼する発呼センタ３０と、発呼センタ３０が発呼した前記擬似着信用セットアップ信号を受信すると擬似着信呼であることを認識して利用者端末２０の一斉呼出しを行ない、この一斉呼出しに対して接続された利用者端末２０の数を測定して利用者端末２０との接続を切断し、前記一斉呼出しの数と前記接続された利用者端末２０の数と基地局認識情報とを含む呼記録を作成する基地局１０と、基地局１０が作成した呼記録を収集して疎通率を算出する収集センタ６０とを具備することを特徴とする。基地局１０は、利用者端末２０が着呼信号に応答した後であって、利用者端末２０にセットアップ信号を送信する前に利用者端末２０との接続を切断して擬似着信呼を行なうので、認証局のように移動体通信ネットワークを経由して擬似着信呼を行う場合に比較して、移動体通信ネットワークの負荷が少なくて済む。
【０００９】
上記課題を解決する本発明の疎通率測定装置は、図１０に示すように、公衆網８０を用いた移動体通信ネットワークにおける利用者端末２０の疎通率を測定する疎通率測定装置において、利用者データベース４０から発呼リストを作成し、この発呼リストに従って利用者端末２０宛に擬似着信用セットアップ信号を用いた擬似着信呼を発呼する発呼センタ３０と、発呼センタ３０が発呼した擬似着信呼を受信して利用者端末２０の一斉呼出しを行い、この一斉呼出しに対して接続された利用者端末２０の数を測定して呼記録を作成する基地局１０と、基地局１０で作成された呼記録を収集して疎通率を算出する収集センタ６０とを備え、利用者端末２０は、前記擬似着信用セットアップ信号を用いた呼を受信した場合、鳴動動作及び着信履歴保存を行なう前に前記呼を切断することを特徴とする。利用者端末２０を改造するので、基地局１０や認証局７０のような移動体通信設備で擬似着信呼に対応する場合に比較して、利用者端末２０の増産効果により擬似着信呼の実現コストが安価になる。
【００１０】
好ましくは、基地局１０は、前記擬似着信用セットアップ信号を受信すると擬似着信呼であることを認識して利用者端末２０の一斉呼出しを行ない、この一斉呼出しに対して接続された利用者端末２０の数を測定し、前記一斉呼出しの数と前記接続された利用者端末２０の数とを基地局認識情報と共に前記収集センタ６０に送信する。
【００１１】
上記課題を解決する本発明の疎通率測定方法は、公衆網８０を用いた移動体通信ネットワークにおける利用者端末２０の疎通率を測定する疎通率測定方法において、利用者データベース４０から、認証局７０により不正と判別される発電話番号を含む発呼リストを作成し、前記作成した発呼リストに従って利用者端末２０宛に擬似着信呼を発呼し、前記発呼した擬似着信呼を受信して利用者端末２０の一斉呼出しを行い、この一斉呼出しに対して接続された利用者端末２０の数を測定して呼記録を作成し、認証局７０が、利用者端末２０が着発信をする際に、利用者端末２０が正当か否かを判別し、前記判別の結果が否定的である場合に、前記作成された呼記録を収集して疎通率を算出することを特徴とする。
【００１２】
【発明の実施の形態】
以下、図面を用いて本発明の実施の形態を説明する。
図１は、本発明の一実施の形態を説明する構成ブロック図である。ここでは、移動体通信ネットワークとしてＰＨＳ(Personal Handyphone System)を例に説明する。移動体通信ネットワークでは地域電話事業者の構築している加入者線網やＩＳＤＮ(Integrated Services Digital Network)網のような公衆網８０によって、基地局１０、発呼センタ３０、収集センタ６０並びに認証局７０が接続されている。基地局１０と利用者端末２０の間は、所定周波数帯域の無線により呼の接続が行なわれる。基地局１０と利用者端末２０との通信は、所定の通信プロトコルにより限られた周波数帯域を時分割等で用いている関係で、一時に呼の接続を確保できる回線容量は限られている。またビルなどの障害物が存在している場合には、基地局１０と利用者端末２０との電波強度が著しく減衰して、呼の接続が困難になる場合もある。
【００１３】
発呼センタ３０は、利用者データベース４０から発呼リストを作成し、公衆網８０経由で発呼リストに従って利用者端末２０に擬似着信呼を発呼する。発呼リストには、利用者データベース４０から抽出された利用者端末の電話番号が掲載されている。擬似着信呼は、利用者端末側では無鳴動かつ無履歴となり、利用者には着信のあったことを全く意識させないものである。利用者データベース４０は、移動体通信ネットワーク事業者と契約している利用者の情報がデータベース化されており、電話番号、氏名、現住所、年齢、料金コース、月額利用料金等の料金請求するのに必要なデータ項目を有している。呼記録作成手段５０は、擬似着信呼による一斉呼出しに対して接続された利用者端末の数を測定して呼記録が作成するもので、例えば各基地局１０に設けられている。収集センタ６０は、呼記録作成手段５０で作成された呼記録を収集するもので、各基地局から収集された呼記録から移動体通信ネットワーク全体を鳥瞰する疎通率が測定できる。
【００１４】
このように構成された装置において、発呼センタ３０は利用者データベース４０から発呼リストを作成する（▲１▼）。なお、利用者データベース４０は調査対象をある条件の中で任意に抽出する際に利用するのみで、利用者の個人データとして利用することはない。次に、発呼センタ３０は公衆網８０経由で発呼リストに従って利用者端末２０に擬似着信呼を発呼する（▲２▼）。呼記録作成手段５０は、擬似着信呼による一斉呼出しに対して接続された利用者端末の数を測定して呼記録が作成する（▲３▼）。次に、呼記録作成手段５０は収集センタ６０へ呼記録を送信する（▲４▼）。収集センタ６０は、呼記録作成手段５０から送信された呼記録より、擬似着信呼による一斉呼出しに対して接続された利用者端末の数を集計して疎通率を算出する（▲５▼）。
【００１５】
図２は移動体通信ネットワーク側の認証局を工夫して擬似着信呼を行なう構成ブロック図である。なお、図２において前記図１と同一作用をするものには同一符号を付して、説明を省略する。図において、認証局７０は利用者端末２０と着発信する際に利用者端末２０が正当なものか判別するものである。発呼センタ３０から利用者端末２０に発呼される擬似着信呼による一斉呼出しの為の呼には、認証局７０が不正と判断する発電話番号が割当てられている。発呼センタ３０から利用者端末２０に発呼された呼は、認証局７０により不正と認証されて擬似着信呼と扱われることにより利用者端末２０が無履歴かつ無鳴動となる。認証局７０を改造するだけすむので、設備の改造コストが少なくて済む利点がある。
【００１６】
このように構成された装置の動作を次に説明する。図３は正常着信シーケンスの動作説明図である。ここでは、発呼が発呼センタ３０ではなく、一般の加入者の端末２２から行なわれる場合を示している。発呼側端末２２から呼設定(Setup)が公衆網８０に送信されると、公衆網８０は基地局１０に呼設定を繋げると共に、発呼側端末２２に呼設定受付(Call proc)を返す。基地局１０は一斉呼出し信号ＰＣＨを利用者端末２０に対して送信し、基地局１０と利用者端末２０とのチャンネル割当が行なわれる。また、基地局１０は認証局７０に対して利用者端末２０は正当な利用者か認証の問合せをする。
【００１７】
認証局７０により認証が行なわれると、基地局１０は利用者端末２０に対して呼設定を行ない、利用者端末２０は基地局１０に呼設定受付を返す。続いて、基地局１０と利用者端末２０との間で端末認証が行なわれる。そして、基地局１０から公衆網８０に呼設定受付を返す。続いて、利用者端末２０で呼出し(Alert)が行なわれると、基地局１０、公衆網８０を経由して発呼側端末２２に呼出し音が伝達される。利用者端末２０で応答(Connect)が行なわれると、基地局１０、公衆網８０を経由して発呼側端末２２に応答が伝達される。これに対して、発呼側端末２２で応答確認(Connect ack)が行なわれると、公衆網８０、基地局１０を経由して利用者端末２０に応答確認が伝達される。このようにして、正常着信シーケンスが行なわれる。
【００１８】
図４は認証局利用の擬似着信シーケンスの動作説明図である。発呼センタ３０から擬似着信呼用の専用発電話番号を用いて呼設定(Setup)が公衆網８０に送信される。すると、公衆網８０は基地局１０に呼設定を繋げると共に、発呼センタ３０に呼設定受付(Call proc)を返す。基地局１０は一斉呼出し信号ＰＣＨを利用者端末２０に対して送信し、基地局１０と利用者端末２０とのチャンネル割当が行なわれる。また、基地局１０は認証局７０に対して利用者端末２０は正当な利用者か認証の問合せをする。
【００１９】
認証局７０では、発電話番号が不正と認証される。すると、基地局１０は利用者端末２０に対して無線切断を行うと、利用者端末２０から基地局１０に切断完了が通知される。基地局１０は公衆網８０に解放完了(Releasecom)を送信すると、公衆網８０は発呼センタ３０に切断(Disc)を指示する。これに対して、発呼センタ３０は公衆網８０に解放(Release)を送信すると、公衆網８０は発呼センタ３０に解放完了(Releasecom)を送信する。基地局１０から利用者端末２０への呼設定(Setup)の前に切断されるので、利用者端末２０は無鳴動となる。
【００２０】
図５は認証局利用の擬似着信呼による疎通率測定の説明図である。まず、発呼センタ３０側では、利用者データベース４０から調査対象となる電話番号を抽出し、発呼リストを作成する（Ｓ１００）。発呼センタ３０は、公衆網８０経由で発呼リストを基に利用者端末２０に向け擬似着信呼を発呼する（Ｓ１０２）。発呼センタ３０は、利用者端末２０と呼を接続する為に、擬似着信用セットアップ信号を基地局１０へ送信する（Ｓ１０４）。この認証局利用の擬似着信呼での擬似着信用セットアップ信号は、認証局７０で不正と判断される擬似着信呼用の専用発電話番号である。
【００２１】
すると、基地局１０が擬似着信用セットアップ信号を受信し、利用者端末２０の一斉呼出し数をカウントする（Ｓ１０６）。次に、基地局１０が呼出している利用者端末２０に着呼信号を送信する（Ｓ１０８）。基地局１０は利用者端末２０が着呼信号に応答しているか判断し（Ｓ１１０）、応答がなければ切断する。応答があると、基地局１０が擬似着信呼として接続数をカウントする（Ｓ１１２）。次に、基地局１０と認証局７０との間で認証が行なわれ、認証の結果不正となるため切断される（Ｓ１１４）。このようにして、基地局１０では、擬似着信呼による一斉呼出しに対して接続された利用者端末の数を測定して呼記録が作成される。
【００２２】
図６は基地局を工夫して擬似着信呼を行なう構成ブロック図である。なお、図６において前記図１と同一作用をするものには同一符号を付して、説明を省略する。図において、基地局１０は、発呼リストに従って発呼センタ３０から送信されてくるセットアップ信号により利用者端末２０に一斉呼出しを行ない、該一斉呼出しに対して接続された利用者端末数を測定する。また基地局１０は、利用者端末２０が着呼信号に応答した後であって利用者端末２０にセットアップ信号を送信する前に利用者端末２０との接続を切断することにより、無履歴かつ無鳴動とすることができる。基地局１０は、収集センタ６０に対して一斉呼出し数と接続された利用者端末数を前記基地局認識情報と共に送信する呼記録作成手段５０の機能も有する。
【００２３】
図７は基地局利用の擬似着信シーケンスの動作説明図である。発呼センタ３０から擬似着信呼用の呼設定(Setup)が公衆網８０に送信される。すると、公衆網８０は基地局１０に呼設定を繋げると共に、発呼センタ３０に呼設定受付(Call proc)を返す。基地局１０は擬似着信用セットアップ信号による一斉呼出し信号ＰＣＨを利用者端末２０に対して送信し、基地局１０と利用者端末２０とのチャンネル割当が行なわれる。なお、擬似着信呼用の呼設定の場合には、基地局１０は認証局７０に対して利用者端末２０は正当な利用者か認証の問合せは行なわない。
【００２４】
続いて、基地局１０は利用者端末２０に対して無線切断を行うと、利用者端末２０から基地局１０に切断完了が通知される。基地局１０は公衆網８０に解放完了(Releasecom)を送信すると、公衆網８０は発呼センタ３０に切断(Disc)を指示する。これに対して、発呼センタ３０は公衆網８０に解放(Release)を送信すると、公衆網８０は発呼センタ３０に解放完了(Releasecom)を送信する。基地局１０から利用者端末２０への呼設定(Setup)の前に切断されるので、利用者端末２０は無鳴動となる。
【００２５】
図８は基地局利用の擬似着信呼による疎通率測定の説明図である。まず、発呼センタ３０側では、利用者データベース４０から調査対象となる電話番号を抽出し、発呼リストを作成する（Ｓ２００）。発呼センタ３０は、公衆網８０経由で発呼リストを基に利用者端末２０に向け擬似着信呼を発呼する（Ｓ２０２）。発呼センタ３０は、利用者端末２０と呼を接続する為に、擬似着信用セットアップ信号を基地局１０へ送信する（Ｓ２０４）。次に、基地局１０が擬似着信用セットアップ信号を受信し、利用者端末２０の一斉呼出し数をカウントする（Ｓ２０６）。次に、基地局１０が呼出している利用者端末２０に着呼信号を送信する（Ｓ２０８）。基地局１０は利用者端末２０が着呼信号に応答しているか判断し（Ｓ２１０）、応答がなければ切断する。応答があると、基地局１０が擬似着信呼として接続数をカウントする（Ｓ２１２）。次に、基地局１０は正常着信シーケンスで行なわれるセットアップ信号を利用者端末２０に送信する前に、呼を切断する（Ｓ２１４）。このようにして、基地局１０では、擬似着信呼による一斉呼出しに対して接続された利用者端末の数を測定して呼記録が作成される。
【００２６】
図９は利用者端末を工夫して擬似着信呼を行なう構成ブロック図である。なお、図９において前記図１と同一作用をするものには同一符号を付して、説明を省略する。図において、発呼センタ３０は、発呼リストに従って利用者端末２０に擬似着信用セットアップ信号を用いた擬似着信呼を発呼し、利用者端末２０は、擬似着信用セットアップ信号を用いた呼を受信した場合、鳴動動作及び着信履歴保存を行なう前に該呼を切断する構成としている。
【００２７】
図１０は利用者端末利用の擬似着信シーケンスの動作説明図である。発呼センタ３０から擬似着信用セットアップ信号(Setup)が公衆網８０に送信される。すると、公衆網８０は基地局１０に呼設定を繋げると共に、発呼センタ３０に呼設定受付(Call proc)を返す。基地局１０は擬似着信用セットアップ信号に応じた一斉呼出し信号ＰＣＨを利用者端末２０に対して送信し、また利用者端末２０の一斉呼出し数をカウントする。次に、基地局１０と利用者端末２０とのチャンネル割当が行なわれ、また利用者端末２０の接続数をカウントする。また、基地局１０は認証局７０に対して利用者端末２０は正当な利用者か認証の問合せをする。
【００２８】
他方、利用者端末２０は、擬似着信用セットアップ信号に応じて基地局１０に対して無線切断を行うと、基地局１０から利用者端末２０に切断完了が通知される。利用者端末２０では無鳴動かつ無履歴となる。基地局１０は公衆網８０に解放完了(Releasecom)を送信すると、公衆網８０は発呼センタ３０に切断(Disc)を指示する。これに対して、発呼センタ３０は公衆網８０に解放(Release)を送信すると、公衆網８０は発呼センタ３０に解放完了(Releasecom)を送信する。
【００２９】
図１１は利用者端末利用の擬似着信呼による疎通率測定の説明図である。まず、発呼センタ３０側では、利用者データベース４０から調査対象となる電話番号を抽出し、発呼リストを作成する（Ｓ３００）。発呼センタ３０は、公衆網８０経由で発呼リストを基に利用者端末２０に向け擬似着信呼を発呼する（Ｓ３０２）。発呼センタ３０は、利用者端末２０と呼を接続する為に、擬似着信用セットアップ信号を基地局１０へ送信する（Ｓ３０４）。次に、基地局１０が擬似着信用セットアップ信号を受信し、利用者端末２０の一斉呼出し数をカウントする（Ｓ３０６）。次に、基地局１０が呼出している利用者端末２０に着呼信号を送信する（Ｓ３０８）。基地局１０は利用者端末２０が着呼信号に応答しているか判断し（Ｓ３１０）、応答がなければ切断する。応答があると、基地局１０が擬似着信呼として接続数をカウントする（Ｓ３１２）。次に、利用者端末２０は擬似着信呼であることを認識する（Ｓ３１４）。そして、利用者端末２０は鳴動動作、着信履歴保存を行なう前に、呼を切断する（Ｓ３１６）。このようにして、基地局１０では、擬似着信呼による一斉呼出しに対して接続された利用者端末の数を測定して呼記録が作成される。
【００３０】
図１２は他の移動体通信形態における擬似着信シーケンスの動作説明図である。上述のＰＨＳでは、発呼センタ３０と利用者端末２０の間に、公衆網８０、認証局７０、基地局１０が存在していた。しかし、ＰＤＣ、ＧＳＭ、ＣＤＭＡのような携帯電話システムでは、発呼センタ３０と利用者端末２０の間に、公衆網８０、及び認証局、基地局の機能を含んだ移動体網９０が存在している。発呼センタ３０から擬似着信呼用の専用発電話番号を用いて呼設定(Setup)が公衆網８０に送信される。すると、公衆網８０は移動体網９０に呼設定を繋げると共に、発呼センタ３０に呼設定受付(Call proc)を返す。移動体網９０は一斉呼出し信号ＰＣＨを利用者端末２０に対して送信し、移動体網９０と利用者端末２０とのチャンネル割当が行なわれる。また、移動体網９０は発呼先の電話番号を認識し、または擬似着信呼を認識して、利用者端末２０との呼接続を切断する。
【００３１】
すると、移動体網９０は利用者端末２０に対して無線切断を行うと、利用者端末２０から移動体網９０に切断完了が通知される。移動体網９０は公衆網８０に解放完了(Releasecom)を送信すると、公衆網８０は発呼センタ３０に切断(Disc)を指示する。これに対して、発呼センタ３０は公衆網８０に解放(Release)を送信すると、公衆網８０は発呼センタ３０に解放完了(Releasecom)を送信する。移動体網９０から利用者端末２０への呼設定(Setup)の前に切断されるので、利用者端末２０は無鳴動となる。
【００３２】
尚、上記実施例においてはＰＤＣ、ＧＳＭ、ＣＤＭＡのような携帯電話システムでは、認証システムを利用した擬似着信シーケンスによる疎通率測定の場合を示したが、これを実現する実施の形態としては、移動網の基地局利用や利用者端末利用の擬似着信シーケンスによる疎通率測定の場合も考えられる。
【００３３】
【発明の効果】
以上説明したように、本発明の疎通率測定装置によれば、移動体通信において任意の利用者端末が通話可能な圏内にいるか正確かつ効率的に行なえると共に、無鳴動かつ無履歴の擬似着信呼を用いているので利用者端末の利用者に迷惑を掛けることもない。
【図面の簡単な説明】
【図１】  本発明の一実施の形態を説明する構成ブロック図である。
【図２】  移動体通信ネットワーク側の認証局を工夫して擬似着信呼を行なう構成ブロック図である。
【図３】  正常着信シーケンスの動作説明図である。
【図４】  認証局利用の擬似着信シーケンスの動作説明図である。
【図５】  認証局利用の擬似着信呼による疎通率測定の説明図である。
【図６】  基地局を工夫して擬似着信呼を行なう構成ブロック図である。
【図７】  基地局利用の擬似着信シーケンスの動作説明図である。
【図８】  基地局利用の擬似着信呼による疎通率測定の説明図である。
【図９】  利用者端末を工夫して擬似着信呼を行なう構成ブロック図である。
【図１０】  利用者端末利用の擬似着信シーケンスの動作説明図である。
【図１１】  利用者端末利用の擬似着信呼による疎通率測定の説明図である。
【図１２】  他の移動体通信形態における擬似着信シーケンスの動作説明図である。
【符号の説明】
１０  基地局
２０  利用者端末
３０  発呼センタ
４０  利用者データベース
５０  呼記録作成手段
６０  収集センタ
７０  認証局
８０  公衆網
９０  移動体網
【図１】
0004463966.tif 000002
【図２】
0004463966.tif 000003
【図３】
0004463966.tif 000004
【図４】
0004463966.tif 000005
【図５】
0004463966.tif 000006
【図６】
0004463966.tif 000007
【図７】
0004463966.tif 000008
【図８】
0004463966.tif 000009
【図９】
0004463966.tif 000010
【図１０】
0004463966.tif 000011
【図１１】
0004463966.tif 000012
【図１２】
0004463966.tif 000013